(57)【特許請求の範囲】
【請求項１】
携帯端末本体に着脱可能に取り付けられるように構成されるカメラアセンブリであって、前記カメラアセンブリが、ハウジングと、撮影ユニットと、取付けキットと、支持体と、を備え、
前記撮影ユニットは、前記ハウジング内に配置され、かつ、写真を撮るようにかつ撮った前記写真を前記携帯端末本体に送信するように構成され、
前記取付けキットは、前記ハウジング上に配置され、かつ、前記カメラアセンブリを前記携帯端末本体に着脱可能に取り付けるように前記携帯端末本体に着脱可能に取り付けられるように構成され、
前記支持体は、前記ハウジングを支持するとともに、前記支持体を回転させることにより、前記カメラアセンブリが支持される方向および位置を変えるように、前記ハウジング上に回転可能に位置決めされる態様で配置されており、
前記支持体が回転シャフトおよび支持体キットを備え、前記支持体キットは前記回転シャフト上に回転可能に位置決めされる態様で配置され、前記ハウジングには、開口部と、前記開口部につながっている収容溝とが設けられ、前記回転シャフトの両端が前記開口部の対向内壁に固定され、前記支持体キットは、前記収容溝に収容されるかまたは前記収容溝から分離されるように、回転可能であり、
前記カメラアセンブリが弾性キットおよび締付キットをさらに備え、前記締付キットは、前記弾性キットを使用することにより、前記締付キットと前記ハウジングとの間に被締付け物を締め付けるように前記ハウジング上に配置される、カメラアセンブリ。
【請求項２】
前記弾性キットおよび前記締付キットが共に前記支持体キット上に配置され、前記支持体キットの第1の端部が前記回転シャフト上に回転可能に位置決めされる態様でスリーブを付けられ、前記締付キットの第1の端部が、前記弾性キットを用いて前記支持体キットの第2の端部に回転可能な態様で連結され、前記締付キットの第2の端部が前記支持体キットと共形接触し、
前記締付キットの前記第1の端部に力が加えられると、前記締付キットの前記第2の端部は前記支持体キットから離れる方向に移動し、前記弾性キットは変形させられて復元力が発生し、前記締付キットの前記第2の端部と前記支持体キットとの間に前記被締付け物を収容するように第1の締付空間が形成され、
前記締付キットの前記第1の端部への力の印加が終わると、前記締付キットの前記第2の端部は前記復元力の作用を受けて前記支持体キットの方へ移動し、その結果、前記被締付け物は前記支持体キットと前記締付キットとの間に締め付けられる、請求項1に記載のカメラアセンブリ。
【請求項３】
前記弾性キットが回転ばねであり、前記支持体キットの前記第2の端部の、前記締付キットと向かい合う第1の表面には固定溝が設けられ、前記回転ばねは前記固定溝の中に固定され、前記回転ばねの第1の端部が前記固定溝の内壁に接し、前記回転ばねの第2の端部が前記締付キットの前記第1の端部に固定され、前記回転ばねが自然状態にあるとき、前記締付キットの前記第2の端部は前記支持体キットの前記第1の表面と共形接触し、前記第1の締付空間が前記締付キットの前記第2の端部と前記支持体キットとの間に形成されるとき、前記回転ばねは弾性的に変形した状態になり、復元力を有する、請求項2に記載のカメラアセンブリ。
【請求項４】
前記締付キットの前記第2の端部の、前記支持体キットと向かい合う底面には補強部分が設けられ、前記支持体キットの、前記締付キットと向かい合う表面には前記補強部分に対応する溝が設けられ、前記締付キットの前記第2の端部が前記支持体キットと共形接触するとき、前記補強部分は前記溝に収容される、請求項2に記載のカメラアセンブリ。
【請求項５】
前記収容溝が第1の収容溝および第2の収容溝を備え、前記開口部、前記第1の収容溝、および前記第2の収容溝は連続的に通り抜けており、
前記支持体キットは前記第1の収容溝に収容され、前記弾性キットの第1の端部が前記第2の収容溝の、前記開口部から離れた第1の端部に固定され、前記弾性キットの第2の端部が前記締付キットの前記第1の端部に連結され、前記締付キットの前記第2の端部は前記第2の収容溝の、前記開口部に近接する第2の端部に配置され、
前記弾性キットが自然状態にあるとき、前記締付キットは前記第2の収容溝に収容され、前記締付キットの前記第1の端部に力が加えられると、前記締付キットの前記第2の端部は前記第2の収容溝から離れる方向に移動し、前記弾性キットは変形させられて復元力が発生し、前記締付キットの前記第2の端部と前記ハウジングとの間に前記被締付け物を収容するように第2の締付空間が形成され、前記締付キットの前記第1の端部への力の印加が終わると、前記締付キットの前記第2の端部は前記復元力の作用を受けて前記第2の収容溝の方へ折り重なり、その結果、前記被締付け物は前記ハウジングと前記締付キットとの間に締め付けられる、請求項1に記載のカメラアセンブリ。
【請求項６】
前記開口部は前記ハウジングの端部上に配置され、前記支持体キットおよび前記締付キットがそれぞれ前記第1の収容溝および前記第2の収容溝に収容されると、前記支持体キットの、前記第1の収容溝の底から離れた第1の表面および前記締付キットの、前記第2の収容溝の底から離れた上面は同一水平面内にあり、かつ前記第1の収容溝および前記第2の収容溝が配置される前記ハウジングの壁の表面と同じ水平面内にある、請求項5に記載のカメラアセンブリ。
【請求項７】
前記締付キットの前記第2の端部には持上げスロットが設けられており、前記持上げスロットを使用することにより前記締付キットが持ち上げられる、請求項5に記載のカメラアセンブリ。
【請求項８】
前記ハウジングは、底壁と、上壁と、前記上壁および前記底壁を連結する側壁と、を備えており、前記上壁、前記底壁、および前記側壁は、収容空間を形成するように囲み、
前記撮影ユニットがカメラ、プロセッサ、および送信ユニットを備え、前記カメラは、写真を撮るように前記側壁上に配置され、前記プロセッサは、撮った前記写真を処理するように前記収容空間内に配置され、前記送信ユニットは、前記処理済みの写真を前記携帯端末本体に出力するように前記収容空間内に配置され、前記取付けキットは、前記携帯端末本体上に着脱可能に取り付けられるように前記底壁の外表面上に配置される、請求項1から7のいずれか一項に記載のカメラアセンブリ。
【請求項９】
前記取付けキットは前記カメラアセンブリの中心軸線に対して対称である、請求項1から8のいずれか一項に記載のカメラアセンブリ。
【請求項１０】
携帯端末であって、前記携帯端末は、携帯端末本体と、前記携帯端末に着脱可能に取り付けられるカメラアセンブリと、を備えており、
前記カメラアセンブリがハウジング、撮影ユニット、第1の取付けキット、および、支持体を備え、前記撮影ユニットは前記ハウジング内に配置され、写真を撮り、撮った前記写真を前記携帯端末本体に送信するように構成され、前記第1の取付けキットは前記ハウジング上に配置され、前記カメラアセンブリを前記携帯端末本体に着脱可能に取り付けるように、前記携帯端末本体上に着脱可能に取り付けられるように構成され、
前記支持体は、前記ハウジングを支持するとともに、前記支持体を回転させることにより、前記カメラアセンブリが支持される方向および位置を変えるように、前記ハウジング上に回転可能に位置決めされる態様で配置されており、
前記支持体が回転シャフトおよび支持体キットを備え、前記支持体キットは前記回転シャフト上に回転可能に位置決めされる態様で配置され、前記ハウジングには、開口部と、前記開口部につながっている収容溝と、が設けられ、前記回転シャフトの両端が前記開口部の対向内壁に固定され、前記支持体キットは、前記収容溝に収容されるかまたは前記収容溝から分離されるように回転可能であり、
前記カメラアセンブリが弾性キットおよび締付キットをさらに備え、前記締付キットは、前記弾性キットを使用することにより、前記締付キットと前記ハウジングとの間に被締付け物を締め付けるように前記ハウジング上に配置される、携帯端末。
【請求項１１】
前記弾性キットおよび前記締付キットが共に前記支持体キット上に配置され、前記支持体キットの第1の端部が前記回転シャフト上に回転可能に位置決めされる態様でスリーブを付けられ、前記締付キットの第1の端部が、前記弾性キットを用いて前記支持体キットの第2の端部に回転可能な態様で連結され、前記締付キットの第2の端部が前記支持体キットと共形接触し、
前記締付キットの前記第1の端部に力が加えられると、前記締付キットの前記第2の端部は前記支持体キットから離れる方向に移動し、前記弾性キットは変形させられて復元力が発生し、前記締付キットの前記第2の端部と前記支持体キットとの間に前記被締付け物を収容するように第1の締付空間が形成され、
前記締付キットの前記第1の端部への力を印加が終わると、前記締付キットの前記第2の端部は前記復元力の作用を受けて前記支持体キットの方へ移動し、その結果、前記被締付け物は前記支持体キットと前記締付キットとの間に締め付けられる、請求項10に記載の携帯端末。
【請求項１２】
前記弾性キットが回転ばねであり、前記支持体キットの前記第2の端部の、前記締付キットと向かい合う第1の表面には固定溝が設けられ、前記回転ばねは前記固定溝の中に固定され、前記回転ばねの第1の端部が前記固定溝の内壁に接し、前記回転ばねの第2の端部が前記締付キットの前記第1の端部に固定され、前記回転ばねが自然状態にあるとき、前記締付キットの前記第2の端部は前記支持体キットの前記第1の表面と共形接触し、前記第1の締付空間が前記締付キットの前記第2の端部と前記支持体キットとの間に形成されるとき、前記回転ばねは弾性的に変形した状態になり、復元力を有する、請求項11に記載の携帯端末。
【請求項１３】
前記締付キットの前記第2の端部の、前記支持体キットと向かい合う底面には補強部分が設けられ、前記支持体キットの、前記締付キットと向かい合う表面には前記補強部分に対応する溝が設けられ、前記締付キットの前記第2の端部が前記支持体キットと共形接触するとき、前記補強部分は前記溝に収容される、請求項11に記載の携帯端末。
【請求項１４】
前記収容溝が第1の収容溝および第2の収容溝を備え、前記開口部と前記第1の収容溝と前記第2の収容溝とは、連続的に通り抜けており、
前記支持体キットは前記第1の収容溝に収容され、前記弾性キットの第1の端部が前記第2の収容溝の、前記開口部から離れた第1の端部に固定され、前記弾性キットの第2の端部が前記締付キットの前記第1の端部に連結され、前記締付キットの前記第2の端部は前記第2の収容溝の、前記開口部に近接する第2の端部に配置され、
前記弾性キットが自然状態にあるとき、前記締付キットは前記第2の収容溝に収容され、前記締付キットの前記第1の端部に力が加えられると、前記締付キットの前記第2の端部は前記第2の収容溝から離れる方向に移動し、前記弾性キットは変形させられて復元力が発生し、前記締付キットの前記第2の端部と前記ハウジングとの間に前記被締付け物を収容するように第2の締付空間が形成され、前記締付キットの前記第1の端部への力を印加が終わると、前記締付キットの前記第2の端部は前記復元力の作用を受けて前記第2の収容溝の方へ折り重なり、その結果、前記被締付け物は前記ハウジングと前記締付キットとの間に締め付けられる、請求項10に記載の携帯端末。
【請求項１５】
前記開口部は前記ハウジングの端部上に配置され、前記支持体キットおよび前記締付キットがそれぞれ前記第1の収容溝および前記第2の収容溝に収容されると、前記支持体キットの、前記第1の収容溝の底から離れた第1の表面および前記締付キットの、前記第2の収容溝の底から離れた上面は同一水平面内にあり、かつ前記第1の収容溝および前記第2の収容溝が配置される前記ハウジングの壁の表面と同じ水平面内にある、請求項14に記載の携帯端末。
【請求項１６】
前記携帯端末が支持体をさらに備え、前記支持体は、前記ハウジングを支持するとともに、前記支持体を回転させることにより、前記カメラアセンブリが支持される方向および位置を変えるように、前記ハウジング上に回転可能に位置決めされる態様で配置されており、
前記ハウジングは、底壁と、上壁と、前記上壁および前記底壁を連結する側壁と、を備えており、前記上壁と前記底壁と前記側壁とは、収容空間を形成するように囲み、
前記撮影ユニットがカメラ、プロセッサ、および送信ユニットを備え、前記カメラは、写真を撮るように前記側壁上に配置され、前記プロセッサは、撮った前記写真を処理するように前記収容空間内に配置され、前記送信ユニットは、前記処理済みの写真を前記携帯端末本体に出力するように前記収容空間内に配置され、前記第1の取付けキットは、前記携帯端末本体上に着脱可能に取り付けられるように前記底壁の外表面上に配置され、前記支持体は前記側壁上に配置されかつ前記カメラの反対側に配置される、請求項10から15のいずれか一項に記載の携帯端末。
【請求項１７】
前記携帯端末本体はケーシングおよび受信ユニットを備え、前記ケーシングの上部には、前記第1の取付けキットと協働するように第2の取付けキットが設けられ、その結果、前記カメラアセンブリは前記ケーシングの前記上部上に着脱可能に取り付けられ、前記受信ユニットは、前記送信ユニットによって送信された前記処理済みの写真を受信するように前記送信ユニットに接続される、請求項16に記載の携帯端末。
【請求項１８】
前記第1の取付けキットは前記カメラアセンブリの中心軸線に対して対称であり、前記第2の取付けキットは前記カメラアセンブリの前記中心軸線に対して対称である、請求項17に記載の携帯端末。
【発明の詳細な説明】
【技術分野】
【０００１】
本発明は通信技術の分野に関し、詳細には、携帯端末および携帯端末のカメラアセンブリに関する。
【背景技術】
【０００２】
科学技術の進歩に伴い、撮影機能を実施するために多くの携帯端末（例えば、スマートフォン）にカメラが設けられている。携帯端末の撮影能力が高められ、携帯端末で写真を撮るのに便利であるので、人々は、より頻繁に写真を撮るために携帯端末を使用している。現在、 携帯端末上のカメラは携帯端末に固定されている。自撮りの間、携帯端末を手で保持する必要があり、写真を撮るためにカメラを自分自身に向ける。しかし、このようにして自撮りを実施するために携帯端末を手で保持する場合、撮影シナリオおよび撮影角度が共に大きく制限される。
【発明の概要】
【０００３】
本発明の諸実施形態が解決しようする技術的課題は、写真を撮る利便性および融通性を向上させ、それによって撮影シナリオおよび撮影角度が制限されるという問題を解決するように、携帯端末および携帯端末のカメラアセンブリを提供することである。
【課題を解決するための手段】
【０００４】
第1の態様によれば、携帯末本体上に着脱可能に取り付けられるように構成されるカメラアセンブリが提供され、カメラアセンブリはハウジング、撮影ユニット、および取付けキットを備え、撮影ユニットはハウジング内に配置され、写真を撮り、撮った写真を携帯端末本体に送信するように構成され、取付けキットはハウジング上に配置され、カメラアセンブリを携帯端末本体に着脱可能に取り付けるように、携帯端末本体上に着脱可能に取り付けられるように構成される。
【０００５】
第1の態様の第1の可能な実施態様では、カメラアセンブリは支持体をさらに備え、支持体は、ハウジングを支持するとともに、支持体を回転させることにより、カメラアセンブリが支持される方向および位置を変えるように、ハウジング上に回転可能に位置決めされる態様で配置される。
【０００６】
第1の態様の第1の可能な実施態様に関して、第2の可能な実施態様では、支持体は回転シャフトおよび支持体キットを含み、支持体キットは回転シャフト上に回転可能に位置決めされる態様で配置され、ハウジングには、開口部と開口部につながっている収容溝とが設けられ、回転シャフトの両端が開口部の対向内壁に固定され、支持体キットは収容溝に収容されるまたは収容溝から分離されるように回転可能である。
【０００７】
第1の態様の第2の可能な実施態様に関して、第3の可能な実施態様では、カメラアセンブリは弾性キットおよび締付キットをさらに含み、締付キットは、弾性キットを使用することにより、締付キットとハウジングとの間に被締付け物を締め付けるようにハウジング上に配置される。
【０００８】
第1の態様の第3の可能な実施態様に関して、第4の可能な実施態様では、弾性キットおよび締付キットは共に支持体キット上に配置され、支持体キットの第1の端部が回転シャフト上に回転可能に位置決めされる態様でスリーブを付けられ、締付キットの第1の端部が、弾性キットを用いて支持体キットの第2の端部に回転可能な態様で連結され、締付キットの第2の端部が支持体キットと共形接触し、締付キットの第1の端部に力が加えられると、締付キットの第2の端部は支持体キットから離れる方向に移動し、弾性キットは変形させられて復元力が発生し、締付キットの第2の端部と支持体キットとの間に被締付け物を収容するように第1の締付空間が形成され、締付キットの第1の端部への力の印加が終わると、締付キットの第2の端部は復元力の作用を受けて支持体キットの方へ移動し、その結果、被締付け物は支持体キットと締付キットとの間に締め付けられる。
【０００９】
第1の態様の第4の可能な実施態様に関して、第5の可能な実施態様では、弾性キットは回転ばねであり、支持体キットの第2の端部の、締付キットと向かい合う第1の表面には固定溝が設けられ、回転ばねは固定溝の中に固定され、回転ばねの第1の端部が固定溝の内壁に接し、回転ばねの第2の端部が締付キットの第1の端部に固定され、回転ばねが自然状態にあるとき、締付キットの第2の端部は支持体キットの第1の表面と共形接触し、第1の締付空間が締付キットの第2の端部と支持体キットとの間に形成されるとき、回転ばねは弾性的に変形した状態になり、復元力を有する。
【００１０】
第1の態様の第4の可能な実施態様に関して、第6の可能な実施態様では、締付キットの第2の端部の、支持体キットと向かい合う底面には補強部分が設けられ、支持体キットの、締付キットと向かい合う表面には補強部分に対応する溝が設けられ、締付キットの第2の端部が支持体キットと共形接触するとき、補強部分は溝に収容される。
【００１１】
第1の態様の第3の可能な実施態様に関して、第7の可能な実施態様では、収容溝は第1の収容溝および第2の収容溝を備え、開口部、第1の収容溝、および第2の収容溝は連続的に通り抜けており、支持体キットは第1の収容溝に収容され、弾性キットの第1の端部が第2の収容溝の、開口部から離れた第1の端部に固定され、弾性キットの第2の端部が締付キットの第1の端部に連結され、締付キットの第2の端部は第2の収容溝の、開口部に近接する第2の端部に配置され、弾性キットが自然状態にあるとき、締付キットは第2の収容溝に収容され、締付キットの第1の端部に力が加えられると、締付キットの第2の端部は第2の収容溝から離れる方向に移動し、弾性キットは変形させられて復元力が発生し、締付キットの第2の端部とハウジングとの間に被締付け物を収容するように第2の締付空間が形成され、締付キットの第1の端部への力の印加が終わると、締付キットの第2の端部は復元力の作用を受けて第2の収容溝の方へ折り重なり、その結果、被締付け物はハウジングと締付キットとの間に締め付けられる。
【００１２】
第1の態様の第7の可能な実施態様に関して、第8の可能な実施態様では、開口部はハウジングの端部上に配置され、支持体キットおよび締付キットがそれぞれ第1の収容溝および第2の収容溝に収容されると、支持体キットの、第1の収容溝の底から離れた第1の表面および締付キットの、第2の収容溝の底から離れた上面は同一水平面内にあり、かつ第1の収容溝および第2の収容溝が配置されるハウジングの壁の表面と同じ水平面内にある。
【００１３】
第1の態様の第7の可能な実施態様に関して、第9の可能な実施態様では、締付キットの第2の端部には、持上げスロットを使用することにより締付キットを持ち上げるように、持上げスロットが設けられる。
【００１４】
第1の態様の第10の可能な実施態様では、ハウジングは底壁と上壁と上壁および底壁を連結する側壁とを含み、上壁、底壁、および側壁は収容空間を形成するように囲み、撮影ユニットはカメラ、プロセッサ、および送信ユニットを含み、カメラは、写真を撮るように側壁上に配置され、プロセッサは、撮った写真を処理するように収容空間内に配置され、送信ユニットは、処理済み写真を携帯端末本体に出力するように収容空間内に配置され、取付けキットは、携帯端末本体上に着脱可能に取り付けられるように底壁の外表面上に配置され、支持体は側壁上に配置されかつカメラの反対側に配置される。
【００１５】
第1の態様の第11の可能な実施態様では、取付けキットはカメラアセンブリの中心軸線に対して対称である。
【００１６】
第2の態様によれば、携帯端末本体と携帯端末本体上に着脱可能に取り付けられるカメラアセンブリとを含む携帯端末が提供され、カメラアセンブリはハウジング、撮影ユニット、および第1の取付けキットを含み、撮影ユニットはハウジング内に配置され、写真を撮り、撮った写真を携帯端末本体に送信するように構成され、第1の取付けキットはハウジング上に配置され、カメラアセンブリを携帯端末本体に着脱可能に取り付けるように、携帯端末本体上に着脱可能に取り付けられるように構成される。
【００１７】
第2の態様の第1の可能な実施態様では、携帯端末は支持体をさらに含み、支持体は、ハウジングを支持するとともに、支持体を回転させることにより、カメラアセンブリが支持される方向および位置を変えるように、ハウジング上に回転可能に位置決めされる態様で配置される。
【００１８】
第2の態様の第1の可能な実施態様に関して、第2の可能な実施態様では、支持体は回転シャフトおよび支持体キットを含み、支持体キットは回転シャフト上に回転可能に位置決めされる態様で配置され、ハウジングには、開口部と開口部につながっている収容溝とが設けられ、回転シャフトの両端が開口部の対向内壁に固定され、支持体キットは収容溝に収容されるまたは収容溝から分離されるように回転可能である。
【００１９】
第2の態様の第2の可能な実施態様に関して、第3の可能な実施態様では、カメラアセンブリは弾性キットおよび締付キットをさらに含み、締付キットは弾性キットを使用することにより、締付キットとハウジングとの間に被締付け物を締め付けるようにハウジング上に配置される。
【００２０】
第2の態様の第3の可能な実施態様に関して、第4の可能な実施態様では、弾性キットおよび締付キットは共に支持体キット上に配置され、支持体キットの第1の端部が回転シャフト上に回転可能に位置決めされる態様でスリーブを付けられ、締付キットの第1の端部が、弾性キットを用いて支持体キットの第2の端部に回転可能な態様で連結され、締付キットの第2の端部が支持体キットと共形接触し、締付キットの第1の端部に力が加えられると、締付キットの第2の端部は支持体キットから離れる方向に移動し、弾性キットは変形させられて復元力が発生し、締付キットの第2の端部と支持体キットとの間に被締付け物を収容するように第1の締付空間が形成され、締付キットの第1の端部への力の印加が終わると、締付キットの第2の端部は復元力の作用を受けて支持体キットの方へ移動し、その結果、被締付け物は支持体キットと締付キットとの間に締め付けられる。
【００２１】
第2の態様の第4の可能な実施態様に関して、第5の可能な実施態様では、弾性キットは回転ばねであり、支持体キットの第2の端部の、締付キットと向かい合う第1の表面には固定溝が設けられ、回転ばねは固定溝の中に固定され、回転ばねの第1の端部が固定溝の内壁に接し、回転ばねの第2の端部が締付キットの第1の端部に固定され、回転ばねが自然状態にあるとき、締付キットの第2の端部は支持体キットの第1の表面と共形接触し、第1の締付空間が締付キットの第2の端部と支持体キットとの間に形成されるとき、回転ばねは弾性的に変形した状態になり、復元力を有する。
【００２２】
第2の態様の第4の可能な実施態様に関して、第6の可能な実施態様では、締付キットの第2の端部の、支持体キットと向かい合う底面には補強部分が設けられ、支持体キットの、締付キットと向かい合う表面には補強部分に対応する溝が設けられ、締付キットの第2の端部が支持体キットと共形接触するとき、補強部分は溝に収容される。
【００２３】
第2の態様の第3の可能な実施態様に関して、第7の可能な実施態様では、収容溝は第1の収容溝および第2の収容溝を含み、開口部、第1の収容溝、および第2の収容溝は連続的に通り抜けており、支持体キットは第1の収容溝に収容され、弾性キットの第1の端部が第2の収容溝の、開口部から離れた第1の端部に固定され、弾性キットの第2の端部が締付キットの第1の端部に連結され、締付キットの第2の端部は第2の収容溝の、開口部に近接する第2の端部に配置され、弾性キットが自然状態にあるとき、締付キットは第2の収容溝に収容され、締付キットの第1の端部に力が加えられると、締付キットの第2の端部は第2の収容溝から離れる方向に移動し、弾性キットは変形させられて復元力が発生し、締付キットの第2の端部とハウジングとの間に被締付け物を収容するように第2の締付空間が形成され、締付キットの第1の端部への力の印加が終わると、締付キットの第2の端部は復元力の作用を受けて第2の収容溝の方へ折り重なり、その結果、被締付け物はハウジングと締付キットとの間に締め付けられる。
【００２４】
第2の態様の第7の可能な実施態様に関して、第8の可能な実施態様では、開口部はハウジングの端部上に配置され、支持体キットおよび締付キットがそれぞれ第1の収容溝および第2の収容溝に収容されると、支持体キットの、第1の収容溝の底から離れた第1の表面および締付キットの、第2の収容溝の底から離れた上面は同一水平面内にあり、かつ第1の収容溝および第2の収容溝が配置されるハウジングの壁の表面と同じ水平面内にある。
【００２５】
第2の態様の第9の可能な実施態様では、ハウジングは底壁と上壁と上壁および底壁を連結する側壁とを含み、上壁、底壁、および側壁は収容空間を形成するように囲み、撮影ユニットはカメラ、プロセッサ、および送信ユニットを含み、カメラは、写真を撮るように側壁上に配置され、プロセッサは、撮った写真を処理するように収容空間内に配置され、送信ユニットは、処理済み写真を携帯端末本体に出力するように収容空間内に配置され、第1の取付けキットは、携帯端末本体上に着脱可能に取り付けられるように底壁の外表面上に配置され、支持体は側壁上に配置されかつカメラの反対側に配置される。
【００２６】
第2の態様の第9の可能な実施態様に関して、第10の可能な実施態様では、携帯端末本体はケーシングおよび受信ユニットを含み、ケーシングの上部には、第1の取付けキットと協働するように第2の取付けキットが設けられ、その結果、カメラアセンブリはケーシングの上部上に着脱可能に取り付けられ、受信ユニットは、送信ユニットによって送信された処理済み写真を受信するように送信ユニットに接続される。
【００２７】
第の2態様の第11の可能な実施態様では、第1の取付けキットはカメラアセンブリの中心軸線に対して対称であり、第2の取付けキットはカメラアセンブリの中心軸線に対して対称である。
【００２８】
本発明では、カメラアセンブリはハウジング、撮影ユニット、および取付けキットを含み、撮影ユニットはハウジング内に配置され、写真を撮り、撮った写真を携帯端末本体に送信するように構成され、取付けキットはハウジング上に配置され、携帯端末本体上に着脱可能に取り付けられるように構成されて、カメラアセンブリを携帯端末本体に着脱可能に取り付けるようにする。したがって、カメラアセンブリが携帯端末本体上に取り付けられていないとき、カメラアセンブリは写真を撮るために任意の場所に置くことができるので、写真を撮る利便性および融通性が改善され、既存のカメラアセンブリの高さおよび角度が1つしかないために写真撮影が周囲環境および撮影角度によって制限されるという問題が解決される。
【００２９】
本発明の実施形態における、または先行技術における技術的解決策をより明確に説明するために、以下で、各実施形態を説明するのに必要な添付の図面を簡単に紹介する。明らかに、以下の説明における添付の図面は単に本発明のいくつかの実施形態を示すにすぎず、当業者は、これらの添付図面から難なく他の図面をさらに導出することができる。
【図面の簡単な説明】
【００３０】
【図１】本発明の第1の実施態様で提供されるカメラアセンブリが携帯端末本体上に取り付けられていない状態の概略図である。
【図２】本発明の第1の実施態様で提供されるカメラアセンブリの一状態の概略図である。
【図３】本発明の第1の実施態様で提供されるカメラアセンブリの部分分解図である。
【図４】本発明の第2の実施態様で提供されるカメラアセンブリの部分分解図である。
【図５】本発明の第2の実施態様で提供されるカメラアセンブリの一状態の概略図である。
【図６】本発明の第3の実施態様で提供されるカメラアセンブリの一状態の概略図である。
【図７】本発明の第4の実施態様で提供される携帯端末を示す図である。
【発明を実施するための形態】
【００３１】
以下で、本発明の諸実施形態における添付の図面を参照しながら、本発明の諸実施形態における技術的解決策を明確かつ十分に説明する。説明される実施形態は、本発明の実施形態の全部ではなく、一部であるにすぎないのは明らかである。本発明の実施形態に基づいて当業者によって難なく得られる他のすべての実施形態は、本発明の保護範囲内に含まれるものとする。
【００３２】
図1を参照すると、図1は、本発明の第1の実施態様で提供されるカメラアセンブリ100を示す。カメラアセンブリ100は、携帯端末本体200上に着脱可能に取り付けられるように構成される。カメラアセンブリ100は、ハウジング10、撮影ユニット、および取付けキット11を含む。撮影ユニットはハウジング10内に配置され、写真を撮り、撮った写真を携帯端末本体200に送信するように構成される。取付けキット11はハウジング10上に配置され、カメラアセンブリ100を携帯端末本体200に着脱可能に取り付けるように、携帯端末本体200上に着脱可能に取り付けられるように構成される。
【００３３】
この実施態様では、カメラアセンブリ100は取付けキット11を含む。取付けキット11はハウジング10上に配置され、カメラアセンブリ100を携帯端末本体200に着脱可能に取り付けるように、携帯端末本体200上に着脱可能に取り付けられるように構成される。本発明によれば、写真を撮る利便性および融通性が改善され、それによって撮影シナリオおよび撮影角度が制限されるという問題を解決する。
【００３４】
さらに、取付けキット11はハウジング10の中心軸線に対して対称である。取付けキット210はハウジング10の中心軸線に対して対称である。したがって、カメラアセンブリ100は、携帯端末本体200に前側から挿入できるだけではなく、携帯端末本体200に後側からも挿入できることが確保され得る、すなわち、カメラアセンブリ100のカメラの向きは携帯端末本体のディスプレイの向きと逆である、またはカメラアセンブリ100のカメラの向きは携帯端末本体のディスプレイの向きと同じである。
【００３５】
この実施態様では、取付けキット11は2つの突出部とすることができる。2つの突出部は、カメラアセンブリ100の中心軸線に対して互いに対称である。それに対応して、携帯端末本体200には取付けキット210、例えば、カメラアセンブリ100の中心軸線に対して互いに対称である2つの締付スロットが設けられ、締付スロットは、カメラアセンブリ100を携帯端末本体200に着脱可能に取り付けるように、対応する突出部に着脱可能に締め付けられかつ固定されるように構成される。
【００３６】
具体的には、カメラアセンブリ100が携帯端末本体200上に取り付けられるとき、突出部が締付スロットの相対的に幅広い側に配置され、突出部は、突出部を締付スロットの相対的に狭い側へ摺動させるように摺動させられる。突出部が締付スロットの相対的に狭い側へ摺動するとき、突出部と締付スロットの相対的に狭い側との間に突出部を締付スロットの相対的に狭い側に締め付けるようにする締まりばめが存在する。携帯端末本体200からカメラアセンブリ100を取り外す必要があるとき、カメラアセンブリ100は、突出部を締付スロットの相対的に幅広い側へ移動させるように押される。突出部が締付スロットの相対的に幅広い側へ移動させられるとき、カメラアセンブリ100は、携帯端末本体200からカメラアセンブリ100を取り外すように持ち上げられる。この実施態様では、締付スロットの相対的に狭い側は、カメラアセンブリ100の中間軸線に対して対称である。したがって、取付けキット11が携帯端末本体200上に取り付けられるとき、取付けキット11が配置される、取付けキット210上の各部分は、カメラアセンブリ100の中間軸線に対して対称である。
【００３７】
別の実施態様では、取付けキット11は、カメラアセンブリ100が携帯端末本体200上に着脱可能に取り付けられることが確保される限り、別の構造または別のキットでもよい。例えば、取付けキット11は第1の磁石部分でよく、それに対応して携帯端末本体200には第2の磁性部分が設けられ、カメラアセンブリ100は、第1の磁性部分と第2の磁性部分との間の磁力を使用することによって携帯端末本体200上に着脱可能に取り付けられる。取付けキット11および取付けキット210の数量は、取付けキット11および取付けキット210がハウジング10の中心軸線に対して別々に対称にできることが確保される限り、実際の要件に従って調整され得る。
【００３８】
さらに、ハウジング10は、底壁110と上壁111と上壁111および底壁110を連結する側壁112とを含む。上壁111、底壁110、および側壁112は収容空間を形成するように囲む。撮影ユニットはカメラ113（図3参照）および送信ユニットを含む。カメラ113は、写真を撮るように構成されるように、側壁112上に配置される。送信ユニットは、撮った写真を携帯端末本体200に出力するように、収容空間内に配置される。取付けキット11は、携帯端末本体200上に着脱可能に取り付けられるように、底壁110の外表面上に配置される。カメラアセンブリには電源が設けられ、電源は、カメラに電力を供給するために収容空間内に配置される。
【００３９】
この実施態様では、底壁110は側壁112の底部に着脱可能に固定される（例えば、締め付けられる）。上壁111および側壁112は一体的に形成される。別の実施態様では、上壁111は側壁112の上部に着脱可能に固定され（例えば、締め付けられ）てもよい。底壁110および側壁112は一体的に形成されてもよい。側壁112は着脱可能な構造でもよい。例えば、側壁112は前壁および後壁を含み、前壁および後壁は、着脱可能な態様で互いに固定され、上壁111および底壁110と共に収容空間を形成する。加えて、底壁110には位置決め穴116が設けられる。それに対応して携帯端末本体200には位置決めブロック220が設けられ、したがって、位置決めブロック220は、カメラアセンブリ100を位置付けるように位置決め穴116と協働する。
【００４０】
カメラアセンブリ100は、カメラによって撮られた写真を独立して処理してもよいことに留意すべきである。例えば、カメラアセンブリ100は処理ユニットも含んでいてもよく、処理ユニットは、カメラによって撮られた写真を処理し、処理済み写真を送信ユニットに送信するように構成され、したがって、送信ユニットは処理済み写真を携帯端末本体200に送信する。加えて、カメラアセンブリ100および携帯端末本体200を位置付ける態様は、実際の要件に従って調整されてもよく、位置決め穴116および位置決めブロック220が協働する位置決め態様に限定されるものではない。
【００４１】
カメラアセンブリ100は第1の接続接点群（図示せず）をさらに含んでいてもよく、第1の接続接点群は、カメラアセンブリ100および携帯端末本体200がデータ伝送、例えば画像伝送を行うように、携帯端末本体200の第2の接続接点群（図示せず）に接続される。
【００４２】
引き続き図2をさらに参照すると、カメラアセンブリ100は支持体12をさらに含む。支持体12は、ハウジング10を支持するようにハウジング10上に回転可能に位置決めされる態様で配置され、カメラアセンブリ100が支持される方向および位置は支持体12を回転させることによって変えられる。
【００４３】
カメラアセンブリ100が携帯端末本体200上に取り付けられず、支持体12によって支持されるとき、カメラアセンブリ100は任意の場所に置くことができ、支持体12がカメラアセンブリ100を支持する高さおよび角度は支持体12を回転させることによって変えることができるので、既存のカメラアセンブリの高さおよび角度が1つしかないために写真撮影が周囲環境および撮影角度によって制限されるという問題が解決される。
【００４４】
支持体12は側壁112上に配置されてもよく、カメラ113の反対側に配置される。
【００４５】
引き続き図3を特に参照すると、支持体12は回転シャフト121および支持体キット122を含む。支持体キット122は、回転シャフト121上に回転可能に位置決めされる態様で配置される。ハウジング10には、開口部101および開口部101につながっている収容溝102が設けられる。回転シャフト121の両端は、開口部101の対向内壁1011に固定される。支持体キット122は、収容溝102に収容されるまたは収容溝102から分離されるように回転可能である。
【００４６】
カメラアセンブリ100が携帯端末本体200上に取り付けられると、支持体12は一時的に使用される必要がなく、支持体12は収容溝102に収容され得る。カメラアセンブリ100が写真を撮るために携帯端末本体200から取り外されると、カメラアセンブリ100は支持される必要がある。支持体12を回転させることにより、支持体12は収容溝102の外へ回転させることができ、カメラアセンブリ100のハウジング10は適切な位置に支持される。さらに、ハウジング10は、カメラアセンブリ100を様々な高さおよび角度で配置するように支持体12を様々な角度で回転させることによって支持され得る。
【００４７】
引き続き図4および図5を参照すると、図4および図5は、本発明の第2の実施態様で提供されるカメラアセンブリ300である。第2の実施態様で提供されるカメラアセンブリ300は、第1の実施態様で提供されるカメラアセンブリ100と類似している。第2の実施態様と第1の実施態様の違いは、第2の実施態様では、カメラアセンブリ300は弾性キット301および締付キット302をさらに含むことにある。締付キット302は、弾性キット301を使用することにより、締付キット302とハウジング10との間に被締付け物を締め付けるようにハウジング10上に配置される。
【００４８】
具体的には、弾性キット301および締付キット302は共に支持体キット122上に配置される。支持体キット122の第1の端部は、回転シャフト121上に回転可能に位置決めされる態様でスリーブを付けられる。締付キット302の第1の端部は、弾性キット301を用いて支持体キット122の第2の端部に回転可能な態様で連結される。締付キット302の第2の端部は支持体キット122と共形接触する。締付キット302の第1の端部に力が加えられると、締付キット302の第2の端部は支持体キット122から離れる方向に移動する。弾性キット301は変形させられて復元力が発生する。締付キット302の第2の端部と支持体キット122との間に被締付け物を収容するように第1の締付空間303が形成される。締付キット302の第1の端部への力の印加が終わると、締付キット302の第2の端部は復元力の作用を受けて支持体キット122の方へ移動し、その結果、被締付け物は支持体キット122と締付キット302との間に締め付けられる。
【００４９】
この実施態様では、締付キット302は、反対側に配置された上面3021および底面3022を有する。支持体キット122は、反対側に配置された第1の表面1221および第2の表面1222を有する。底面3022は、支持体キット122の第1の表面1221に対応する。支持体キット122の第2の表面1222はハウジング10と向かい合う。弾性キット301が自然状態にあるとき、締付キット302の底面3022は第1の表面1221と共形接触する。
【００５０】
さらに、支持体キット122の第1の端部にはシャフト穴1223が設けられる。シャフト穴1223は内側に減衰力を有し、減衰力は一様である。シャフト穴1223は回転シャフト121上にスリーブを付けられる。減衰力の作用を受けて、シャフト穴1223および回転シャフト121は回転し、互いに対して位置付けられ、その結果、支持体12は回転させられ、任意の角度をなして位置付けられ得る。回転シャフト121は減衰回転シャフトでもよい。支持体12の回転可能な角度は0度〜310度であることが好ましい。別の実施態様では、支持体12の回転可能な角度は実際の要件に従って調整され得る。シャフト穴1223および回転シャフト121が回転し、互いに対して位置付けられることを可能にするために、別の態様、例えば、締結具および溝が互いに協働する態様が使用されてもよい。
【００５１】
具体的には、弾性キット301は回転ばねである。支持体キット122の第2の端部の、締付キット302と向かい合う第1の表面1221には固定溝130が設けられる。回転ばねは固定溝130の中に固定される。回転ばねの第1の端部は固定溝130の内壁に接している。回転ばねの第2の端部は締付キット302の第1の端部に固定される。回転ばねが自然状態にあるとき、締付キット302の第2の端部は支持体キット122の第1の表面1221と共形接触する。第1の締付空間303が締付キット302の第2の端部と支持体キット122の第1の端部との間に形成されると、回転ばねは弾性的に変形した状態になり、復元力を有する。
【００５２】
さらに、締付キット302の第2の端部の、支持体キット122と向かい合う底面3022には補強部分131が設けられる。支持体キット122の第1の表面1221の、支持体キット122の第1の端部に近接する部分は、補強部分131に対応する溝132を形成するようにへこんでいる。締付キット302の第2の端部が支持体キット122と共形接触するとき、補強部分131は溝132に収容される。補強部分131の機能は、被締付け物が締付キット302と支持体キット122との間に締め付けられるとき、補強部分131は、締付け強度を上げて被締付け物をしっかり締め付けることができるようにするために使用されることである。
【００５３】
引き続き図6を参照すると、図6は、本発明の第3の実施態様で提供されるカメラアセンブリ500を示す。第3の実施態様で提供されるカメラアセンブリ500は、第2の実施態様で提供されるカメラアセンブリ300と類似している。第3の実施態様と第2の実施態様の違いは、第3の実施態様では、収容溝は第1の収容溝501および第2の収容溝502を含み、開口部101、第1の収容溝501、および第2の収容溝502が連続的に通り抜けていることにある。支持体キット122は第1の収容溝501に収容される。弾性キット301の第1の端部は、第2の収容溝502の、開口部101から離れた第1の端部に固定される。弾性キット301の第2の端部は、締付キット302の第1の端部に連結される。締付キット302の第2の端部は、第2の収容溝502の、開口部101に近接する第2の端部に配置される。弾性キット301が自然状態にあるとき、締付キット302は第2の収容溝502に収容される。締付キット302の第1の端部に力が加えられると、締付キット302の第2の端部は第2の収容溝502から離れる方向に移動する。弾性キット301は変形させられて復元力が発生する。締付キット302の第2の端部とハウジング10との間に被締付け物を収容するように第2の締付空間503が形成される。締付キット302の第1の端部への力の印加が終わると、締付キット302の第2の端部は復元力の作用を受けて第2の収容溝502の方へ折り重なり、その結果、被締付け物はハウジング10と締付キット302との間に締め付けられる。
【００５４】
具体的には、開口部101はハウジング10の端部上に配置される。支持体キット122および締付キット302がそれぞれ第1の収容溝501および第2の収容溝502に収容されると、支持体キット122の、第1の収容溝501の底から離れた第1の表面1221および締付キット302の、第2の収容溝502の底から離れた上面3021は同一平面内にあり、かつ第1の収容溝501および第2の収容溝502が配置されるハウジング10の壁の表面と同じ水平面内にある。したがって、カメラアセンブリ500は、冗長な縁部および角がなく、携行され取り付けられるのに便利であり、美しい外観を有する。
【００５５】
さらに、締付キット302の第2の端部には、持上げスロット304を使用することによって締付キット302を持ち上げるように、持上げスロット304が設けられる。したがって、これは使い勝手が良い。
【００５６】
図7を参照すると、図7は、本発明の第4の実施態様で提供される携帯端末1000を示す。携帯端末1000は携帯端末本体1001およびカメラアセンブリを含む。カメラアセンブリは、携帯端末本体1001上に着脱可能に取り付けられる。カメラアセンブリは、前述の実施態様で提供されるカメラアセンブリのうちのいずれか1つでよい。カメラアセンブリの構造ならびにカメラアセンブリと携帯端末本体1001との間の関係は前述の実施態様で詳述されているので、詳細について本明細書では再び説明しない。
【００５７】
携帯端末本体1001はケーシング1002および受信ユニット（図示せず）を含むことに留意すべきである。ケーシング1002の上部は、取付けキット11と協働するように取付けキット1004を設けられ、したがって、カメラアセンブリはケーシング1002の上部上に着脱可能に取り付けられる。受信ユニットは、送信ユニットによって送信された処理済み写真を受信するようにカメラアセンブリの送信ユニットに接続される。
【００５８】
この実施態様では、携帯端末1000は、携帯端末本体1001と携帯端末本体1001上に着脱可能に取り付けられるカメラアセンブリとを含む。カメラアセンブリが携帯端末本体1001上に取り付けられず、支持体12によって支持されるとき、カメラアセンブリは任意の場所に置くことができ、支持体12がカメラアセンブリを支持する高さおよび角度は支持体12を回転させることによって変えることができるので、既存のカメラアセンブリの高さおよび角度が1つしかないために写真撮影が周囲環境および撮影角度によって制限されるという問題が解決される。
【００５９】
最後に、前述の実施形態は単に本発明の技術的解決策を説明するためのものにすぎず、本発明を限定するためのものではないことに留意すべきである。本発明は前述の実施形態に関して詳細に記述されているが、当業者なら、これらの記述が本発明の保護範囲を限定するものではないことを理解するであろう。本発明で開示される技術範囲内で当業者によって容易に考案されるいかなる変形も置換も、本発明の保護範囲内に含まれるものとする。したがって、本発明の保護範囲は、特許請求の範囲の保護範囲に従うべきものとする。
【符号の説明】
【００６０】
10  ハウジング
11  取付けキット
12  支持体
100  カメラアセンブリ
101  開口部
102  収容溝
110  底壁
111  上壁
112  側壁
113  カメラ
116  位置決め穴
121  回転シャフト
122  支持体キット
130  固定溝
131  補強部分
132  溝
200  携帯端末本体
210  取付けキット
220  位置決めブロック
300  カメラアセンブリ
301  弾性キット
302  締付キット
303  第1の締付空間
304  持上げスロット
500  カメラアセンブリ
501  第1の収容溝
502  第2の収容溝
503  第2の締付空間
1000  携帯端末
1001  携帯端末本体
1002  ケーシング
1004  取付けキット
1011  対向内壁
1221  第1の表面
1222  第2の表面
1223  シャフト穴
3021  上面
3022  底面
【図１】
0006394778.tif 000002
【図２】
0006394778.tif 000003
【図３】
0006394778.tif 000004
【図４】
0006394778.tif 000005
【図５】
0006394778.tif 000006
【図６】
0006394778.tif 000007
【図７】
0006394778.tif 000008